(57)【要約】      （修正有）【課題】近傍の床の振動がその他の室内スペースに伝導し難くして防音機能を果たすことができる新型の中空床構造を提供する。【解決手段】下部鉄筋メッシュ、ガスクッション及び上部鉄筋メッシュを含み、ガスクッションは上・下部鉄筋メッシュの間に設けられるので、この新型の床構造はセメントが注入されて凝固すると、ガスクッションはセメント注入量を減らすことが出来る共に防音効果も向上する。また、階層全体のセメントの使用量を減らすので、不必要な梁構造を設置しないで済み、全体のスペース運用での融通性が一層向上する。【選択図】図５
0003160370.tif 000002
【実用新案登録請求の範囲】
【請求項１】
複数本の同一水平面の縦方向鉄筋と複数本の同一水平面の横方向鉄筋を含み、前記複数本の縦方向鉄筋と前記複数本の横方向鉄筋は互いに交錯して少なくとも１つの第１収納箇所を形成する下部鉄筋メッシュと、
前記下部鉄筋メッシュ上に設け、表面が前記第１収納箇所に当接するガスクッションと、
複数本の同一水平面の縦方向鉄筋と複数本の同一水平面の横方向鉄筋を含む上部鉄筋メッシュと、
を含み、前記上部鉄筋メッシュの前記複数本の縦方向鉄筋は前記下部鉄筋メッシュの前記複数本の縦方向鉄筋に対応して設置され、前記上部鉄筋メッシュの前記複数本の縦方向鉄筋と前記複数本の横方向鉄筋は互いに交錯して少なくとも１つの第２収納箇所を形成し、前記第２収納箇所は前記第１収納箇所に対応して設置され、前記ガスクッションの表面は前記第２収納箇所に当接することを特徴とする新型の中空床構造。
【請求項２】
前記ガスクッションは球状のガスクッションを含むことを特徴とする請求項1に記載の新型の中空床構造。
【請求項３】
前記ガスクッションは棒状のガスクッションを含むことを特徴とする請求項1に記載の新型の中空床構造。
【請求項４】
前記第１収納箇所と前記第２収納箇所の形状は正方形又は長方形であることを特徴とする請求項1に記載の新型の中空床構造。
【考案の詳細な説明】
【技術分野】
【０００１】
本考案は防音可能な新型の中空床構造に関する。
【背景技術】
【０００２】
マンションでの階上の跳躍の動作、キッチンの調理器具が落ちる音、机や椅子を動かす音は何れも階下の居住者にとって騒音となり得るものであり、階下の居住者の平穏を妨げることとなり、さらに深夜の浴室での水音も階下の居住者の安眠を妨害するが、こうした音はふつう床衝撃音と呼ばれている。それは床の振動によって階下のスペースに伝わるので、一般の空気伝導に対する防音や吸音措置を講ずることができず、床衝撃音を軽減する技術を使用しなくてはならず、こうした技術は階上（騒音発生源）に施さないと効果を生じない。
【０００３】
床衝撃音の音源は重量衝撃源と軽量衝撃源とに分けられ、人が跳躍する動作（成人の体操による跳躍）や子供が走り回る動作といった音源は重量衝撃音である。
【０００４】
これに対して、物が落ちる音（キッチンの調理器具）、机や椅子を動かす音、女性のハイヒールの音、マージャンの牌をかき混ぜる動作といった音源は軽量衝撃源である。
【考案の概要】
【考案が解決しようとする課題】
【０００５】
近年国内では高性能住宅が流行しているが、従来の鉄筋コンクリートの伝導係数は高く、防音の度合いは低く、しょっちゅう階上や階下の騒音に晒されているため、床衝撃音を緩衝する機能も主な研究の趨勢となっている。
【０００６】
また、従来の床の熱伝導、蓄熱値が大きいため、断熱、防寒効果が低く、別途断熱層を設けないとエネルギー消耗が大きい。また従来の床に必要なセメントが多量であることから、範囲が狭く、小梁が多く、室内スペースが狭まる等の欠点があった。これに鑑みて本考案の考案人は上記の欠点が改善可能と考え、鋭意検討を重ねた結果、合理的設計で上記の課題を効果的に改善する本考案の提案に到った。
【課題を解決するための手段】
【０００７】
本考案の目的は、上・下部鉄筋メッシュの間にガスクッションを設けることによって、近傍の床の振動がその他の室内スペースに伝導し難くして防音機能を果たすことができる新型の中空床構造を提供することにある。
【０００８】
本考案のもう一つの目的は、上・下部鉄筋メッシュの間にガスクッションを設けることによって、床の伝導係数を減らしてさらに断熱目的を達することができる新型の中空床構造を提供することにある。
【図面の簡単な説明】
【０００９】
【図１】本考案に係る上下部鉄筋メッシュの好ましい実施形態である。
【図２】本考案に係るガスクッションのガスを注入しようとする実施形態である。
【図３】本考案に係るガスクッションの好ましい実施形態である。
【図４】本考案に係る新型の中空床構造が凝固した後の好ましい実施形態である。
【図５】本考案に係る新型の中空床構造の内部構造の実施形態である。
【図６】本考案に係る新型の中空床構造の内部構造の別の実施形態である。
【図７】本考案に係る新型の中空床構造の内部構造の別の実施形態である。
【図８】本考案に係る新型の中空床構造の内部構造の別の実施形態である。
【考案を実施するための形態】
【００１０】
以下、本考案の実施例を図面に基づいて説明する。
【実施例１】
【００１１】
図１に示すように、下部鉄筋メッシュ１１と上部鉄筋メッシュ１３は好ましくは一定の距離Ｘをとり、この実施形態では距離Ｘは１５〜３０ｃｍであり、異なる厚みの階層に応じて距離Ｘを増減することもできる。また、距離Ｘは５０〜１５０ｃｍ又は１５０〜１，０００ｃｍでもよい。
【００１２】
下部鉄筋メッシュ１１は複数本の同一水平面の縦方向鉄筋１１１を含み、縦方向鉄筋１１１は互いに平行でしかも各鉄筋の間隔は決まった間隔である。
【００１３】
下部鉄筋メッシュ１１はまた複数本の同一水平面の横方向鉄筋１１３も含み、横方向鉄筋１１３は互いに平行で同一水平面にあり、縦方向鉄筋１１１と横方向鉄筋１１３は互いに交錯して少なくとも１つの第１収納箇所１１５を形成する。
【００１４】
図２に示すように、本考案の新型の中空床構造１は下部鉄筋メッシュ１１、上部鉄筋メッシュ１３及びガスクッション１５を含む。ガスクッション１５は下部鉄筋メッシュ１１上に設け、ガスを注入して拡張が可能な素材で構成される。ガスクッション１５の素材はガスを注入して拡張が可能なプラスチックで、この素材はポリエチレン（Ｐｏｌｙｅｔｈｙｌｅｎｅ，ＰＥ）、ポリプロピレン（Ｐｏｌｙｐｒｏｐｙｌｅｎｅ，ＰＰ）、ポリ塩化ビニル（Ｐｏｌｙｖｉｎｙｌ  Ｃｈｌｏｒｉｄｅ，ＰＶＣ）、ＡＢＳ樹脂（Ａｃｒｙｌｏｎｉｔｒｉｌｅ−Ｂｕｔａｄｅｎｅ−Ｓｔｙｒｅｎｅ，ＡＢＳ）、アクリル樹脂（Ａｃｒｙｌｉｃ  Ｒｅｓｉｎ，ＰＭＭＡ）、ポリアミド（Ｐｏｌｙａｍｉｄｅ，ＰＡ−６，ＰＡ−６６，ＰＡ−４６，ＰＡ−１１，ＰＡ−１２）、ポリエチレンフタレート（Ｐｏｌｙｅｔｈｙｌｅｎｅｐｈｔｈａｌａｔｅ，ＰＥＴ）、ポリブチレンテレフタレート（ｐｏｌｙｂｕｔｙｌｅｎｅ  ｔｅｒｅｐｈｔｈａｌａｔｅ，ＰＢＴ）、ポリアセタール（ポリオキシメチレン）（Ｐｏｌｙａｃｅｔａｌ，Ｐｏｌｙｏｘｙ  Ｍｅｔｈｙｌｅｎｅ，ＰＯＭ）、ポリカーボネート（Ｐｏｌｙｃａｒｂｏｎａｔｅ，ＰＣ）、ポリフェニレンサルファイド（Ｐｏｌｙｐｈｅｎｙｌｅｎｅ  Ｓｕｌｆｉｄｅ，ＰＰＳ）、液晶ポリマー（Ｌｉｑｕｉｄ  Ｃｒｙｓｔａｌ  Ｐｏｌｙｍｅｒ，ＬＣＰ）、ポリエーテル・エーテル・ケトン（Ｐｏｌｙｅｔｈｅｒ  Ｅｔｈｅｒ  Ｋｅｔｏｎｅ，ＰＥＥＫ）、ポリテトラフルオロエチレン（Ｐｏｌｙｔｅｔｒａｆｌｕｏｒｏｅｔｈｙｌｅｎｅ，ＰＴＦＥ）、ポリオキシベンジレン（Ｐｏｌｙｏｘｙｂｅｎｚｙｌｅｎｅ，ＰＯＢ）、ポリフェニレン・サルファイド（Ｐｏｌｙｐｈｅｎｙｌｅｎｅ  Ｓｕｌｆｉｄｅ，ＰＥＳ）、ポリスルホン（Ｐｏｌｙｓｕｌｆｏｎｅ，ＰＳＦ）、ポリアリレート（Ｐｏｌｙａｒｙｌａｔｅ，Ｕ−Ｐｏｌｙｍｅｒ，ＰＡＲ）、ポリエーテルイミド（Ｐｏｌｙｅｔｈｅｒｉｍｉｄｅ，ＰＥＩ）、ポリアミドイミド（Ｐｏｌｙａｍｉｄｅｉｍｉｄｅ，ＰＡＩ）及び上記の素材の化合物から選択することができる。このガスクッション１５は床の熱伝導係数を減らすことができるので、さらに断熱機能を達成することができ、これにより防寒効果を増すと共に、セメントの使用量を減らすことができる。図３に示すように、このガスクッション１５はガスを注入し体積を拡張させて表面を第１収納箇所１１５に接触させるが、ガスクッション１１５が含むガスは反応が起き難いヘリウムの様な不活性ガスが好ましく、ネオン、アルゴン、クリプトン、キセノン、ラドン、及びその他の水素、窒素の様なガスでもよい。
【００１５】
図１から図３に示すように、上部鉄筋メッシュ１３は複数本の同一水平面の縦方向鉄筋１３１と複数本の同一水平面の横方向鉄筋１３３を含み、縦方向鉄筋１３１が形成する平面と横方向鉄筋１３３が形成する平面とは互いに平行であり、一方、縦方向鉄筋１３１と横方向鉄筋１３３は互いに交錯して少なくとも１つの第２収納箇所１３５を形成する。また、上部鉄筋メッシュ１３と下部鉄筋メッシュ１１は対応して設置される。上部鉄筋メッシュ１３の縦方向鉄筋１３１と横方向鉄筋１３３はそれぞれ下部鉄筋メッシュ１１の縦方向鉄筋１３１と横方向鉄筋１３３とで、ガスクッション１５を中心として対称的に設置される。このため第２収納箇所１３５は第１収納箇所１１５に対応して設置される。ガスクッション１５はガスが注入されて膨張するとガスクッション１５の表面は第１収納箇所１１５並びに第１収納箇所１１５と対応する第２収納箇所１３５に当接する。
【００１６】
図４はセメントが注入された後の新型の中空床１０の側面図である。さらに図５に示すように、新型の中空床構１は下部鉄筋メッシュ１１、上部鉄筋メッシュ１３及びガスクッション１５を含む。このガスクッション１５は球状のガスクッションで、ガスクッション１５が当接する第１収納箇所１１５又は第２収納箇所１３５の形状は正方形であり、またこのガスクッション１５の形状は長方形でもよい。
【実施例２】
【００１７】
図６示すように、ガスクッション１５は棒状のガスクッションで構成され、上部鉄筋メッシュ１３と下部鉄筋メッシュ１１の縦方向鉄筋１１１、１３１と横方向鉄筋１１３、１３３の鉄筋は竹節や圧痕やすべすべした異形鉄筋、及び上記の鉄筋を混合した鉄筋から選択する。従って、前記の鉄筋は同じ又は異なる鉄筋を組み合わせることができる。縦方向鉄筋１１１、１３１と横方向鉄筋１１３、１３３は互いに交錯し、その交錯角度は約９０度である。
【実施例３】
【００１８】
図７示すように、ガスクッション１５は同時に球状ガスクッションと棒状ガスクッションを混合させた構造で構成することもできる。然しながら、図８に示すように、棒状ガスクッション１５は不規則に膨張する餅のような棒状でもよく、こうして第１収納箇所１１５と第２収納箇所１３５が当接する表面積を増大させる。
【符号の説明】
【００１９】
１      新型の中空床構造
１０    新型の中空床
１１    下部鉄筋メッシュ
１１１  縦方向鉄筋
１１３  横方向鉄筋
１１５  第１収納箇所
１３    上部鉄筋メッシュ
１３１  縦方向鉄筋
１３３  横方向鉄筋
１３５  第２収納箇所
１５    ガスクッション
【図１】
0003160370.tif 000003
【図２】
0003160370.tif 000004
【図３】
0003160370.tif 000005
【図４】
0003160370.tif 000006
【図５】
0003160370.tif 000007
【図６】
0003160370.tif 000008
【図７】
0003160370.tif 000009
【図８】
0003160370.tif 000010
【手続補正書】
【提出日】平成22年4月8日(2010.4.8)
【手続補正１】
【補正対象書類名】実用新案登録請求の範囲
【補正対象項目名】全文
【補正方法】変更
【補正の内容】
【実用新案登録請求の範囲】
【請求項１】
複数本の同一水平面の縦方向鉄筋と複数本の同一水平面の横方向鉄筋を含み、前記複数本の縦方向鉄筋と前記複数本の横方向鉄筋は互いに交錯して少なくとも1つの第1収納箇所を形成する下部鉄筋メッシュと、
前記下部鉄筋メッシュ上に設け、表面が前記第1収納箇所に当接するガスクッションと、
複数本の同一水平面の縦方向鉄筋と複数本の同一水平面の横方向鉄筋を含む上部鉄筋メッシュと、
を含み、前記上部鉄筋メッシュの前記複数本の縦方向鉄筋は前記下部鉄筋メッシュの前記複数本の縦方向鉄筋に対応して設置され、前記上部鉄筋メッシュの前記複数本の縦方向鉄筋と前記複数本の横方向鉄筋は互いに交錯して少なくとも１つの第２収納箇所を形成し、前記第２収納箇所は前記第1収納箇所に対応して設置され、前記ガスクッションの表面は前記第２収納箇所に当接することを特徴とする中空床構造。
【請求項２】
前記ガスクッションは球状のガスクッションを含むことを特徴とする請求項1に記載の中空床構造。
【請求項３】
前記ガスクッションは棒状のガスクッションを含むことを特徴とする請求項1に記載の中空床構造。
【請求項４】
前記第1収納箇所と前記第２収納箇所の形状は正方形又は長方形であることを特徴とする請求項1に記載の中空床構造。